(57)【要約】  本発明の無線通信システムは、サブフレームを単位に送受信を行う複数の無線通信装置を有する。前記複数の無線通信装置の各々は、前記サブフレームを構成するＯＦＤＭシンボルの各々に有効シンボルの先頭にサイクリックプレフィックスを付加し、前記サブフレームの最後のＯＦＤＭシンボルの有効シンボルの末尾にポストフィックスを付加するＣＰ付加部を有する。
2009133742.tif 000002
【特許請求の範囲】
【請求項１】
サブフレームを単位に送受信を行う複数の無線通信装置を有してなる無線通信システムであって、
前記複数の無線通信装置の各々は、
前記サブフレームを構成するＯＦＤＭシンボルの各々に有効シンボルの先頭にサイクリックプレフィックスを付加し、前記サブフレームの最後のＯＦＤＭシンボルの有効シンボルの末尾にポストフィックスを付加するＣＰ付加部を有する無線通信システム。
【請求項２】
前記複数の無線通信装置の各々は、
他の無線通信装置から受信した前記サブフレームを構成するＯＦＤＭシンボルの各々からサイクリックプレフィックスを除去し、前記サブフレームの最後のＯＦＤＭシンボルについては、有効シンボルの先頭部分に対してポストフィックスとの平均化処理を施した上でポストフィックスを除去するＣＰ除去部をさらに有する、請求項１に記載の無線通信システム。
【請求項３】
前記ＣＰ除去部は、前記サブフレームの最後のＯＦＤＭシンボルの有効シンボル長が１／Ｘ（Ｘは２以上の整数）である場合、該最後のＯＦＤＭシンボルについては、有効シンボルの先頭部分に対してポストフィックスとの平均化処理を施した上でポストフィックスを除去したものをＸ回繰り返す、請求項２に記載の無線通信システム。
【請求項４】
前記ＣＰ付加部は、前記サブフレームを複数のゾーンに区分し、ゾーンごとにサイクリックプレフィックス長を定義して、同一のゾーンでは、同一のサイクリックプレフィックス長を用いる、請求項１から３のいずれか１項に記載の無線通信システム。
【請求項５】
前記ＣＰ付加部は、サブフレームごとにサイクリックプレフィックス長を定義して、同一のサブフレームでは、同一のサイクリックプレフィックス長を用いる、請求項１から３のいずれか１項に記載の無線通信システム。
【請求項６】
サブフレームを単位に送受信を行う無線通信装置であって、
前記サブフレームを構成するＯＦＤＭシンボルの各々に有効シンボルの先頭にサイクリックプレフィックスを付加し、前記サブフレームの最後のＯＦＤＭシンボルの有効シンボルの末尾にポストフィックスを付加するＣＰ付加部を有する無線通信装置。
【請求項７】
他の無線通信装置から受信した前記サブフレームを構成するＯＦＤＭシンボルの各々からサイクリックプレフィックスを除去し、前記サブフレームの最後のＯＦＤＭシンボルについては、有効シンボルの先頭部分に対してポストフィックスとの平均化処理を施した上でポストフィックスを除去するＣＰ除去部をさらに有する、請求項６に記載の無線通信装置。
【請求項８】
前記ＣＰ除去部は、前記サブフレームの最後のＯＦＤＭシンボルの有効シンボル長が１／Ｘ（Ｘは２以上の整数）である場合、該最後のＯＦＤＭシンボルについては、有効シンボルの先頭部分に対してポストフィックスとの平均化処理を施した上でポストフィックスを除去したものをＸ回繰り返す、請求項７に記載の無線通信装置。
【請求項９】
前記ＣＰ付加部は、前記サブフレームを複数のゾーンに区分し、ゾーンごとにサイクリックプレフィックス長を定義して、同一のゾーンでは、同一のサイクリックプレフィックス長を用いる、請求項６から８のいずれか１項に記載の無線通信装置。
【請求項１０】
前記ＣＰ付加部は、サブフレームごとにサイクリックプレフィックス長を定義して、同一のサブフレームでは、同一のサイクリックプレフィックス長を用いる、請求項６から８のいずれか１項に記載の無線通信装置。
【請求項１１】
サブフレームを単位に送受信を行う無線通信装置による無線通信方法であって、
前記サブフレームを構成するＯＦＤＭシンボルの各々に有効シンボルの先頭にサイクリックプレフィックスを付加し、前記サブフレームの最後のＯＦＤＭシンボルの有効シンボルの末尾にポストフィックスを付加するＣＰ付加ステップを有する無線通信方法。
【請求項１２】
他の無線通信装置から受信した前記サブフレームを構成するＯＦＤＭシンボルの各々からサイクリックプレフィックスを除去し、前記サブフレームの最後のＯＦＤＭシンボルについては、有効シンボルの先頭部分に対してポストフィックスとの平均化処理を施した上でポストフィックスを除去するＣＰ除去ステップをさらに有する、請求項１１に記載の無線通信方法。
【請求項１３】
前記ＣＰ除去ステップでは、前記サブフレームの最後のＯＦＤＭシンボルの有効シンボル長が１／Ｘ（Ｘは２以上の整数）である場合、該最後のＯＦＤＭシンボルについては、有効シンボルの先頭部分に対してポストフィックスとの平均化処理を施した上でポストフィックスを除去したものをＸ回繰り返す、請求項１２に記載の無線通信方法。
【請求項１４】
前記ＣＰ付加ステップでは、前記サブフレームを複数のゾーンに区分し、ゾーンごとにサイクリックプレフィックス長を定義して、同一のゾーンでは、同一のサイクリックプレフィックス長を用いる、請求項１１から１３のいずれか１項に記載の無線通信方法。
【請求項１５】
前記ＣＰ付加ステップでは、サブフレームごとにサイクリックプレフィックス長を定義して、同一のサブフレームでは、同一のサイクリックプレフィックス長を用いる、請求項１１から１３のいずれか１項に記載の無線通信方法。
【請求項１６】
サブフレームを単位に送受信を行う無線通信装置に、
前記サブフレームを構成するＯＦＤＭシンボルの各々に有効シンボルの先頭にサイクリックプレフィックスを付加し、前記サブフレームの最後のＯＦＤＭシンボルの有効シンボルの末尾にポストフィックスを付加するＣＰ付加手順を実行させるプログラム。
【請求項１７】
前記無線通信装置に、
他の無線通信装置から受信した前記サブフレームを構成するＯＦＤＭシンボルの各々からサイクリックプレフィックスを除去し、前記サブフレームの最後のＯＦＤＭシンボルについては、有効シンボルの先頭部分に対してポストフィックスとの平均化処理を施した上でポストフィックスを除去するＣＰ除去手順をさらに実行させる、請求項１６に記載のプログラム。
【請求項１８】
前記ＣＰ除去手順では、前記サブフレームの最後のＯＦＤＭシンボルの有効シンボル長が１／Ｘ（Ｘは２以上の整数）である場合、該最後のＯＦＤＭシンボルについては、有効シンボルの先頭部分に対してポストフィックスとの平均化処理を施した上でポストフィックスを除去したものをＸ回繰り返す、請求項１７に記載のプログラム。
【請求項１９】
前記ＣＰ付加手順では、前記サブフレームを複数のゾーンに区分し、ゾーンごとにサイクリックプレフィックス長を定義して、同一のゾーンでは、同一のサイクリックプレフィックス長を用いる、請求項１６から１８のいずれか１項に記載のプログラム。
【請求項２０】
前記ＣＰ付加手順では、サブフレームごとにサイクリックプレフィックス長を定義して、同一のサブフレームでは、同一のサイクリックプレフィックス長を用いる、請求項１６から１８のいずれか１項に記載のプログラム。
【発明の詳細な説明】
【技術分野】
【０００１】
本発明は、無線通信システム、無線通信装置、無線通信方法、プログラムに関する。
【背景技術】
【０００２】
近年、無線通信システムにおいて、データを複数のサブキャリアに割り当てるＯＦＤＭ（Orthogonal  Frequency  Division  Multiplexing：直交周波数分割多重）方式およびＯＦＤＭＡ（Orthogonal  Frequency  Division  Multiple  Access：直交周波数分割多重接続）方式が注目を集めている。このうち、ＯＦＤＭＡ方式は、例えば、ＷｉＭＡＸ（Worldwide  Interoperability  for  Microwave  Access）で採用されている。【０００３】
ＯＦＤＭ方式およびＯＦＤＭＡ方式では、送信側は、送信すべきデータを含む信号を、逆高速フーリエ変換（ＩＦＦＴ：Inverse  Fast  Fourier  Transform）により周波数領域から時間領域の信号に変換して送信する。受信側は、送信側から受信した信号を、高速フーリエ変換（ＦＦＴ：Fast  Fourier  Transform）により、時間領域から周波数領域の信号に変換して元のデータを取り出す。【０００４】
ＯＦＤＭシンボルは、マルチパス干渉の影響をなくすために、一般的に、送信すべきデータを含む有効シンボルの末尾部分のコピーであるサイクリックプレフィックス（Cyclic  Prefix）が、有効シンボルの先頭に付加されている。【０００５】
しかし、サイクリックプレフィックス長の最適値は、伝搬環境に依存する。【０００６】
例えば、大きな遅延分散がある伝搬環境においては、サイクリックプレフィックス長を長くする必要がある。ただし、サイクリックプレフィックス長を長くすると、単位時間内に送信できるデータ量が少なくなってしまうため、大容量のデータを高速送信するような伝搬環境には不適となる。【０００７】
例えば、特許文献１，２には、ＯＦＤＭシンボルのサイクリックプレフィックス長を可変にする技術が開示されている。【０００８】
しかし、データの送受信がフレーム単位で行われ、そのフレーム長が固定である無線通信システムにおいては、サイクリックプレフィックス長を可変にすることによりフレームをＯＦＤＭシンボルにより構成する際に、サイクリックプレフィックス長と有効シンボル長未満分の時間が余る場合がある。この場合、余った時間は、ＯＦＤＭシンボルが挿入できず、データを送信できないアイドル時間（idle  time）となる。【０００９】
また、フレームが複数のサブフレームに分割され、サブフレーム長が固定である無線通信システムにおいては、各サブフレーム内にアイドル時間が生じてしまう場合がある。また、サブフレーム長が可変である無線通信システムにおいても、アイドル時間が生じるサブフレームが発生する場合がある。【００１０】
したがって、フレーム長を固定とするＯＦＤＭ方式およびＯＦＤＭＡ方式では、サイクリックプレフィックス長を可変とした場合でも、フレーム／サブフレーム内のアイドル時間を短くし、その時間の無線リソースを有効利用することが重要な課題となっている。
【特許文献１】特開２００５−３０３８２６号公報
【特許文献２】特開２００５−１１００１４号公報
【発明の開示】
【００１１】
そこで、本発明の目的は、上述した課題を解決する無線通信システム、無線通信装置、無線通信方法、プログラムを提供することにある。
【００１２】
本発明の無線通信システムは、
サブフレームを単位に送受信を行う複数の無線通信装置を有してなる無線通信システムであって、
前記複数の無線通信装置の各々は、
前記サブフレームを構成するＯＦＤＭシンボルの各々に有効シンボルの先頭にサイクリックプレフィックスを付加し、前記サブフレームの最後のＯＦＤＭシンボルの有効シンボルの末尾にポストフィックスを付加するＣＰ付加部を有する。
【００１３】
本発明の無線通信装置は、
サブフレームを単位に送受信を行う無線通信装置であって、
前記サブフレームを構成するＯＦＤＭシンボルの各々に有効シンボルの先頭にサイクリックプレフィックスを付加し、前記サブフレームの最後のＯＦＤＭシンボルの有効シンボルの末尾にポストフィックスを付加するＣＰ付加部を有する。
【００１４】
本発明の無線通信方法は、
サブフレームを単位に送受信を行う無線通信装置による無線通信方法であって、
前記サブフレームを構成するＯＦＤＭシンボルの各々に有効シンボルの先頭にサイクリックプレフィックスを付加し、前記サブフレームの最後のＯＦＤＭシンボルの有効シンボルの末尾にポストフィックスを付加するＣＰ付加ステップを有する。
【００１５】
本発明のプログラムは、
サブフレームを単位に送受信を行う無線通信装置に、
前記サブフレームを構成するＯＦＤＭシンボルの各々に有効シンボルの先頭にサイクリックプレフィックスを付加し、前記サブフレームの最後のＯＦＤＭシンボルの有効シンボルの末尾にポストフィックスを付加するＣＰ付加手順を実行させる。
【００１６】
本発明によれば、無線通信装置は、送信時に、サブフレームの最後のシンボルについては、サイクリックプレフィックスだけでなくポストフィックスを付加する。このため、不要なアイドル時間をなくすことができる。
【００１７】
また、無線通信装置は、受信時に、サブフレームの最後のシンボルについては、サイクリックプレフィックスを除去し、有効シンボルの先頭部分に対してポストフィックスとの平均化処理を施した上でポストフィックスを除去する。ここで、ポストフィックスは、有効シンボルの先頭部分のコピーであるため、上記の平均化処理を施すことで有効シンボルの先頭部分のＳＮ比が改善する。
【００１８】
したがって、アイドル時間を短くし、その時間の無線リソースを受信特性の改善のために有効利用することができるという効果が得られる。
【図面の簡単な説明】
【００１９】
【図１】本発明の一実施形態の無線通信システムの構成を示すブロック図である。
【図２】図１に示した無線通信装置の送信側の構成の一例を示すブロック図である。
【図３】図１に示した無線通信装置にて生成されるサブフレームの一例を示す図である。
【図４】図１に示した無線通信装置の受信側の構成の一例を示すブロック図である。
【図５】図１に示した無線通信装置の送信動作の一例を説明するフローチャートである。
【図６】図１に示した無線通信装置の受信動作の一例を説明するフローチャートである。
【図７】図１に示した無線通信装置の受信動作の他の例を説明するフローチャートである。
【図８】図１に示した無線通信装置にて生成されるサブフレームの他の例を示す図である。
【発明を実施するための最良の形態】
【００２０】
以下に、本発明を実施するための最良の形態について図面を参照して説明する。【００２１】
なお、以下の実施形態では、無線通信システムが、ＷｉＭＡＸの無線通信システムである場合を例に挙げて説明するが、本発明はこれに限定されない。【００２２】
図１に示すように、本実施形態の無線通信システムは、サブフレームを単位に送受信を行う無線通信装置１０−１，１０−２を有している。なお、図１においては、説明を簡単にするため、無線通信装置の数を、２つにしたが、本発明はこれに限定されない。また、無線通信装置１０−１，１０−２は、一方が基地局、他方が端末となる。【００２３】
ここで、無線通信装置１０−１，１０−２の構成について、送信側と受信側とに分けて説明する。【００２４】
まず、無線通信装置１０−１，１０−２の送信側の構成について、図２を参照して説明する。【００２５】
図２に示すように、無線通信装置１０−１，１０−２の送信側には、データ挿入部１０１と、ＩＦＦＴ部１０２と、ＣＰ（Cyclic  Prefix/Postfix）付加部１０３と、送信部１０４と、が設けられている。【００２６】
データ挿入部１０１は、サブキャリアにパイロット信号またはデータをのせて周波数領域の信号を生成する。【００２７】
ＩＦＦＴ部１０２は、データ挿入部１０１にて生成された周波数領域の信号を、逆高速フーリエ変換により時間領域信号に変換して有効シンボルを生成する。【００２８】
ＣＰ付加部１０３は、ＩＦＦＴ部１０２にて生成された有効シンボルの末尾部分のコピーであるサイクリックプレフィックスを有効シンボルの先頭に付加して、１つのＯＦＤＭシンボルを生成する。【００２９】
このとき、ＣＰ付加部１０３は、サブフレームの最後のＯＦＤＭシンボルには、サイクリックプレフィックスだけでなく、有効シンボルの先頭部分のコピーであるポストフィックス（Postfix）を有効シンボルの末尾に付加することができる。【００３０】
例えば、図３に示すように、サブフレームに、サイクリックプレフィックス長と１有効シンボル長未満分の時間が余った場合、関連技術では、その時間は全てアイドル時間になっていた。【００３１】
これに対し、本発明では、余った時間が全てアイドル時間になるのを回避する場合、最後のＯＦＤＭシンボルに対し、さらにポストフィックスを付加することができる。このため、サイクリックプレフィックス長と１有効シンボル長未満分の時間が余ったとしても、ポストフィックスを付加することで、アイドル時間を短くすることができる。【００３２】
送信部１０４は、他の無線通信装置に対し、ＣＰ付加部１０３にて生成された複数のＯＦＤＭシンボルから構成されるサブフレームを送信する。【００３３】
続いて、無線通信装置１０−１，１０−２の受信側の構成について、図４を参照して説明する。【００３４】
図４に示すように、無線通信装置１０−１，１０−２の受信側には、受信部１１１と、ＣＰ除去部１１２と、ＦＦＴ部１１３と、データ取出部１１４と、が設けられている。【００３５】
受信部１１１は、他の無線通信装置からサブフレームを受信する。【００３６】
ＣＰ除去部１１２は、受信部１１１にて受信されたサブフレームを構成する複数のＯＦＤＭシンボルの各々からサイクリックプレフィックスを除去して有効シンボルを得る。【００３７】
このとき、ＣＰ除去部１１２は、サブフレームの最後のＯＦＤＭシンボルにポストフィックスが付加されている場合は、サイクリックプレフィックスを除去してから、有効シンボルの先頭部分にポストフィックスとの平均化処理を施した上で、ポストフィックスを除去する。この場合の平均化処理とは、有効シンボルの先頭部分にポストフィックスを重ねた上で、振幅を平均化する処理をいう。【００３８】
ここで、ポストフィックスは、送信側で有効シンボルの先頭部分をコピーしたものであるため、上記の平均化処理を施すことで有効シンボルの先頭部分のＳＮ比（Signal  to  Noise  ratio）が改善する。【００３９】
ＦＦＴ部１１３は、ＣＰ除去部１１２により得られた有効シンボルを、高速フーリエ変換により時間領域から周波数領域の信号に変換する。【００４０】
データ取出部１１４は、ＦＦＴ部１１３にて高速フーリエ変換された周波数領域の信号のサブキャリアにのせられたパイロット信号およびデータを取り出す。【００４１】
以下、無線通信装置１０−１，１０−２の動作について、送信動作と受信動作とに分けて説明する。なお、以下では、無線通信装置１０−１を送信側、無線通信装置１０−２を受信側とする。また、サブフレームの最後のＯＦＤＭシンボルにポストフィックスを付加するものとし、最後のＯＦＤＭシンボルを処理する動作を中心に説明する。【００４２】
まず、無線通信装置１０−１の送信動作について、図５を参照して説明する。【００４３】
無線通信装置１０−１においては、無線通信装置１０−２にサブフレームを送信する場合、サブフレームを構成するＯＦＤＭシンボルを順次生成する。最後のＯＦＤＭシンボルにポストフィックスを付加する場合、次のような処理を行う。【００４４】
図５に示すように、まず、データ挿入部１０１は、ステップＳ５０１において、サブキャリアにパイロット信号またはデータをのせた周波数領域の信号を生成し、ＩＦＦＴ部１０２は、ステップＳ５０２において、周波数領域の信号を、逆高速フーリエ変換により時間領域の信号に変換して有効シンボルを生成する。【００４５】
次に、ＣＰ付加部１０３は、ステップＳ５０３において、有効シンボルの末尾部分のコピーであるサイクリックプレフィックスを有効シンボルの先頭に付加するとともに、有効シンボルの先頭部分のコピーであるポストフィックスを有効シンボルの末尾に付加する。【００４６】
このようにして、無線通信装置１０−１においては、最後のＯＦＤＭシンボルにポストフィックスが付加されたサブフレームを生成することができる。このサブフレームは、以降、送信部１０４により無線通信装置１０−２に送信される。【００４７】
次に、無線通信装置１０−２の受信動作について、図６を参照して説明する。【００４８】
無線通信装置１０−２においては、無線通信装置１０−１からサブフレームを受信した場合、サブフレームを構成するＯＦＤＭシンボルから順次データを取り出す。最後のＯＦＤＭシンボルにポストフィックスが付加されている場合は次のような処理を行う。【００４９】
図６に示すように、無線通信装置１０−２においては、まず、ＣＰ除去部１１２は、ステップＳ６０１において、ＯＦＤＭシンボルからサイクリックプレフィックスを除去する。【００５０】
次に、ＣＰ除去部１１２は、ステップＳ６０２において、有効シンボルの先頭部分に対してポストフィックスとの平均化処理を施した上で、ポストフィックスを除去する。【００５１】
その後、ＦＦＴ部１１３は、ステップＳ６０３において、有効シンボルを、高速フーリエ変換により時間領域から周波数領域の信号に変換し、データ取出部１１４は、ステップＳ６０４において、サブキャリアにのせられたパイロット信号およびデータを取り出す。【００５２】
このようにして、無線通信装置１０−２においては、最後のＯＦＤＭシンボルのＳＮ比を改善することができる。【００５３】
上述したように本実施形態においては、無線通信装置１０−１，１０−２は、送信時に、サブフレームの最後のＯＦＤＭシンボルに対し、サイクリックプレフィックスだけでなくポストフィックスを付加することができる。このため、不要なアイドル時間をなくすことができる。【００５４】
また、無線通信装置１０−１，１０−２は、受信時に、サブフレームの最後のＯＦＤＭシンボルにポストフィックスが付加されている場合、サイクリックプレフィックスを除去し、有効シンボルの先頭部分に対してポストフィックスとの平均化処理を施した上でポストフィックスを除去する。このため、有効シンボルの先頭部分のＳＮ比が改善する。【００５５】
したがって、アイドル時間を短くし、その時間の無線リソースを受信特性の改善のために有効利用することができる。【００５６】
なお、本実施形態においては、サブフレーム内の有効シンボル長は全て同一であることを前提としているが、送信するデータを多くするために、アイドル時間に有効シンボル長を１／Ｘ（Ｘは２以上の整数）としたＯＦＤＭシンボルを挿入し、それにポストフィックスを付加してもよい。【００５７】
無線通信装置１０−２は、無線通信装置１０−１から受信したサブフレームの最後のＯＦＤＭシンボルの有効シンボル長が１／Ｘである場合、例えば、図７のような受信動作を行う。なお、図７は、図６のステップＳ６０２を、ステップＳ６０２’に変更したものである。この場合、ステップＳ６０４で取り出されるデータは、ｎＸ（ｎは１，２，３，・・・）番目のサブキャリアにのみのっている。【００５８】
図７に示すように、ＣＰ除去部１１２は、ステップＳ６０２’において、有効シンボルの先頭部分に対してポストフィックスとの平均化処理を施した上でポストフィックスを除去したものをＸ回繰り返す。この場合の周期は、１有効シンボル長の１／Ｘ周期とする。【００５９】
また、本実施形態においては、サブフレーム内のサイクリックプレフィックス長は全て同一であることを前提としているが、サブフレーム内でサイクリックプレフィックス長は異なっていてもよい。【００６０】
しかし、ＯＦＤＭシンボルごとに、サイクリックプレフィックス長が異なる場合、送信側から受信側に送信される、サイクリックプレフィックス長を示す制御信号の情報量が増えてしまい、多くの無線リソースが消費されてしまう。【００６１】
そこで、本実施形態においては、サブフレーム内でサイクリックプレフィックス長を異ならせる場合、ＣＰ付加部１０３は、図８に示すように、サブフレームを複数のゾーンに区分し、ゾーンごとにサイクリックプレフィックス長を定義して、同一のゾーンでは、同一のサイクリックプレフィックス長を用いる。なお、図８の例では、サイクリックプレフィックス長を、それぞれ、「長」、「通常」、「短」としたＬｏｎｇゾーン、Ｎｏｒｍａｌゾーン、Ｓｈｏｒｔゾーンの３つにサブフレームを区分けし、各ゾーンでは、同一のサイクリックプレフィックス長を用いている。また、このゾーンを新たにサブフレームと定義してもよい。【００６２】
したがって、サイクリックプレフィックス長を示す制御信号の情報量が減るため、無線リソースの消費を抑えることができる。【００６３】
なお、本発明の無線通信装置１０−１，１０−２にて行われる方法は、コンピュータに実行させるためのプログラムに適用してもよい。また、そのプログラムを記憶媒体に格納することも可能であり、ネットワークを介して外部に提供することも可能である。【００６４】
以上、実施形態を参照して本発明を説明したが、本発明は上記実施形態に限定されものではない。本発明の構成や詳細には、本発明の範囲内で当業者が理解し得る様々な変更をすることができる。【００６５】
本出願は、２００８年４月３０日に出願された日本出願特願２００８−１１８８４１を基礎とする優先権を主張し、その開示の全てをここに取り込む。
【図１】
2009133742.tif 000003
【図２】
2009133742.tif 000004
【図３】
2009133742.tif 000005
【図４】
2009133742.tif 000006
【図５】
2009133742.tif 000007
【図６】
2009133742.tif 000008
【図７】
2009133742.tif 000009
【図８】
2009133742.tif 000010
【手続補正書】
【提出日】平成22年11月1日(2010.11.1)
【手続補正１】
【補正対象書類名】特許請求の範囲
【補正対象項目名】全文
【補正方法】変更
【補正の内容】
【特許請求の範囲】
【請求項１】
サブフレームを単位に送受信を行う無線通信装置であって、
前記サブフレームを構成するＯＦＤＭシンボルの各々に有効シンボルの先頭にサイクリックプレフィックスを付加し、前記サブフレームの最後のＯＦＤＭシンボルの有効シンボルの末尾にポストフィックスを付加するＣＰ付加部を有する無線通信装置。
【請求項２】
他の無線通信装置から受信した前記サブフレームを構成するＯＦＤＭシンボルの各々からサイクリックプレフィックスを除去し、前記サブフレームの最後のＯＦＤＭシンボルについては、有効シンボルの先頭部分に対してポストフィックスとの平均化処理を施した上でポストフィックスを除去するＣＰ除去部をさらに有する、請求項１に記載の無線通信装置。
【請求項３】
前記ＣＰ除去部は、前記サブフレームの最後のＯＦＤＭシンボルの有効シンボル長が１／Ｘ（Ｘは２以上の整数）である場合、該最後のＯＦＤＭシンボルについては、有効シンボルの先頭部分に対してポストフィックスとの平均化処理を施した上でポストフィックスを除去したものをＸ回繰り返す、請求項２に記載の無線通信装置。
【請求項４】
前記ＣＰ付加部は、前記サブフレームを複数のゾーンに区分し、ゾーンごとにサイクリックプレフィックス長を定義して、同一のゾーンでは、同一のサイクリックプレフィックス長を用いる、請求項１から３のいずれか１項に記載の無線通信装置。
【請求項５】
前記ＣＰ付加部は、サブフレームごとにサイクリックプレフィックス長を定義して、同一のサブフレームでは、同一のサイクリックプレフィックス長を用いる、請求項１から３のいずれか１項に記載の無線通信装置。
【請求項６】
サブフレームを単位に送受信を行う無線通信装置による無線通信方法であって、
前記サブフレームを構成するＯＦＤＭシンボルの各々に有効シンボルの先頭にサイクリックプレフィックスを付加し、前記サブフレームの最後のＯＦＤＭシンボルの有効シンボルの末尾にポストフィックスを付加するＣＰ付加ステップを有する無線通信方法。
【請求項７】
他の無線通信装置から受信した前記サブフレームを構成するＯＦＤＭシンボルの各々からサイクリックプレフィックスを除去し、前記サブフレームの最後のＯＦＤＭシンボルについては、有効シンボルの先頭部分に対してポストフィックスとの平均化処理を施した上でポストフィックスを除去するＣＰ除去ステップをさらに有する、請求項６に記載の無線通信方法。
【請求項８】
前記ＣＰ除去ステップでは、前記サブフレームの最後のＯＦＤＭシンボルの有効シンボル長が１／Ｘ（Ｘは２以上の整数）である場合、該最後のＯＦＤＭシンボルについては、有効シンボルの先頭部分に対してポストフィックスとの平均化処理を施した上でポストフィックスを除去したものをＸ回繰り返す、請求項７に記載の無線通信方法。
【請求項９】
前記ＣＰ付加ステップでは、前記サブフレームを複数のゾーンに区分し、ゾーンごとにサイクリックプレフィックス長を定義して、同一のゾーンでは、同一のサイクリックプレフィックス長を用いる、請求項６から８のいずれか１項に記載の無線通信方法。
【請求項１０】
前記ＣＰ付加ステップでは、サブフレームごとにサイクリックプレフィックス長を定義して、同一のサブフレームでは、同一のサイクリックプレフィックス長を用いる、請求項６から８のいずれか１項に記載の無線通信方法。
【請求項１１】
請求項１から５のいずれか１項に記載の無線通信装置を備える無線通信システム。
【国際調査報告】
2009133742.tif 000011
2009133742.tif 000012
2009133742.tif 000013
2009133742.tif 000014